(57)【要約】      （修正有）【課題】危険に遭遇した時にすばやく取り外してホイッスル音を発生させることのできる携帯用ホイッスルに関し、不使用時にはマスコットなどやベースなどは個々に又は一体的に形成され、使用者の好みに合わせて装飾体としても使用でき、また、マスコットなどやベースなどは、個々に又は一体的に形成され、装着されたバッテリーなどによって、発光や発音機能をも備えた携帯用ホイッスルを提供する。【解決手段】マスコットなどが金具類や紐類を介して雄型部材に装着され、雄型部材が雌型部材に着脱自在に装着され、雌型部材は金具類や紐類を介して電子機器や袋物、鞄、装身具等に取付けられ、緊急時にはマスコットなどと共にホイッスル本体を容易に取り外し、すばやく該ホイッスルで緊急事態を知らせるように構成し、また、マスコットなどに発光や発音などの機能を設けた携帯用ホイッスル。【選択図】図１
0003115737.tif 000002
【実用新案登録請求の範囲】
【請求項１】
ホイッスル本体が一体的又は着脱自在に装着されるマスコットなどやベースなどは、個々に又は一体的に形成され、該個々に又は一体的に形成されたマスコットなどやベースなどは金具類や紐類を介して雄型部材に装着され、該雄型部材が雌型部材に着脱自在に装着され、該雌型部材は金具類や紐類を介して電子機器や袋物、鞄、装身具等やその他に取り付けられ、緊急時などには該個々に又は一体的に形成されたマスコットなどやベースなどと共にホイッスル本体を容易に取り外し、すばやく該ホイッスルで緊急事態を知らせるように構成したことを特徴とする携帯用ホイッスル。
【請求項２】
ホイッスル本体に装着されるマスコットなどやベースなどは、個々に又は一体的に形成され、使用者の好みに合わせて任意に選択できるようにし、ホイッスル本体が損傷した時にはホイッスル本体を交換もできるように構成したことを特徴とする請求項１記載の携帯用ホイッスル。
【請求項３】
ホイッスル本体に装着される個々に又は一体的に形成されたマスコットなどやベースなどにホイッスル本体を一体的又は着脱自在に設けたことを特徴とする請求項１記載の携帯用ホイッスル。
【請求項４】
ホイッスル本体に装着されるマスコットなどやベースなどは、個々に又は一体的に形成され、金具類や紐類を介して電子機器や袋物、鞄、装身具等やその他に取り付けられ、緊急時などには、個々に又は一体的に形成された該マスコットなどやベースなどと共にホイッスル本体を容易に取り外し、すばやく該ホイッスルで緊急事態を知らせるように構成したことを特徴とする請求項１記載の携帯用ホイッスル。
【請求項５】
ホイッスル本体に装着されるマスコットなどやベースなどは、個々に又は一体的に形成され、該個々に又は一体的に形成されたマスコットなどやベースなどに装着されたバッテリーなどによって、該個々に又は一体的に形成されたマスコットなどやベースなどに発光や発音などを機能させることを特徴とする請求項１記載の携帯用ホイッスル。
【考案の詳細な説明】
【技術分野】
【０００１】  本考案は、電子機器類、カバン類、装身具等に着脱自在に取り付けることのできる携帯用ホイッスルに関し、特に子供や大人を問わず緊急時に利用することのできる携帯用ホイッスルであって、危険に遭遇した時にすばやく取り外してホイッスル音を発生させることのできる携帯用ホイッスルに関し、不使用時には個々に又は一体的に形成されたマスコットなどやベースなど使用者の好みに合わせて装飾体としても使用でき、また、マスコットなどやベースなどは、個々に又は一体的に形成され、装着されたバッテリーなどによって、発光や発音などの機能をも備えた携帯用ホイッスルに関する。
【背景技術】
【０００２】  従来、暴漢や痴漢に襲われたとき緊急事態を知らせるためのホイッスルを取りつけたバッグ等が考案されている。例えば実用新案登録第３０７５９２４号公報に開示されたバッグがある。【０００３】
【実用新案文献１】
実用新案登録第３０７５９２４号公報
【考案の開示】
【考案が解決しようとする課題】
【０００４】  上述した実用新案文献１の「バッグ」は、ホイッスルホルダーを紐でバッグに取付け、ホイッスルホルダーにホイッスルを差し込んだものであるが、差込状態がきつい場合は取り外しにくく緊急時にすばやくホイッスルを取り出すことができず、バッグごとひったくりにあったときは何の役目もなさず、また、差込状態がゆるい場合はホイッスルを落とし易いものであった。【０００５】  また、上述した実用新案文献１の「バッグ」では、特別な意匠効果もなく、使用者が好みに合わせて楽しみながら使用するような効果のあるものではなかった。
【課題を解決するための手段】
【０００６】  本考案はこのような事情に鑑みてなされたものであり、ホイッスル本体が一体的又は着脱自在に装着されるマスコットなどやベースなどは、個々に又は一体的に形成され、該個々に又は一体的に形成されたマスコットなどやベースなどは金具類や紐類を介して雄型部材に装着され、該雄型部材が雌型部材に着脱自在に装着され、該雌型部材は金具類や紐類を介して電子機器や袋物、鞄、装身具等やその他に取り付けられ、緊急時などには該個々に又は一体的に形成されたマスコットなどやベースなどと共にホイッスル本体を容易に取り外し、すばやく該ホイッスルで緊急事態を知らせるように構成したことを特徴とし、ホイッスル本体に装着されるマスコットなどやベースなどは、個々に又は一体的に形成され、使用者の好みに合わせて任意に選択できるようにし、ホイッスル本体が損傷した時にはホイッスル本体を交換もできるように構成したことを特徴とし、マスコットなどに装着されたマスコットなどやベースなどは、個々に又は一体的に形成され、ホイッスル本体を一体的又は着脱自在に設けたことを特徴とし、ホイッスル本体に装着されるマスコットなどやベースなどは、個々に又は一体的に形成され、金具類や紐類を介して電子機器や袋物、鞄、装身具等やその他に取り付けられ、緊急時などには、個々に又は一体的に形成された該マスコットなどやベースなどと共にホイッスル本体を容易に取り外し、すばやく該ホイッスルで緊急事態を知らせるように構成したことを特徴とし、且つ、ホイッスル本体に装着されるマスコットなどやベースなどは、個々に又は一体的に形成され、該個々に又は一体的に形成されたマスコットなどやベースなどに装着されたバッテリーなどによって、該個々に又は一体的に形成されたマスコットなどやベースなどに発光や発音などを機能させることを特徴とする携帯用ホイッスルを提供するものである。
【考案の効果】
【０００７】  本考案の携帯用ホイッスルによれば、電子機器類、カバン類、装身具等その他に着脱自在に取り付けることのできる携帯用ホイッスルに関し、特に子供や大人を問わず緊急時に利用することのできる携帯用ホイッスルであって、危険に遭遇した時にすばやく取り外してホイッスル音を発生させることのできる携帯用ホイッスルに関し、不使用時には個々に又は一体的に形成されたマスコットなどやベースなどは、使用者の好みに合わせて装飾体としても使用でき、また、個々に又は一体的に形成されたマスコットなどやベースなどは装着されたバッテリー等によって発光や発音などの機能をも備えた携帯用ホイッスルであるので、痴漢やひったくりの被害を受けた時や、また、災害時に家屋内に閉じ込められた時に発光や発音などの報知手段を駆動するバッテリーなどが消耗などをしても、体力が残っていればホイッスルを鳴らして危険を知らせることができる。
【考案を実施するための最良の形態】
【０００８】  以下、図面に基づき本考案を具体的に説明する。図面において図１は本考案の携帯用ホイッスルの実施例を示す斜視図である。図２は本考案の携帯用ホイッスルの他の実施例を示す斜視図である。図３は本考案の携帯用ホイッスルの他の実施例を示す斜視図である。【０００９】  図１に示す実施例では、ホイッスル本体６はマスコット４などに一体的又は着脱自在に取付けられ、該マスコット４などがヒートン５１などやリング５などを介して雄型部材３に装着され、該雄型部材３が雌型部材２に着脱自在に装着され、該雌型部材２は細紐１によって電子機器や袋物、鞄、装身具等やその他に取り付け、緊急時には該マスコット４などと共にホイッスル本体６を容易に取り外し、すばやく該ホイッスル本体６を吹いて緊急事態を知らせることができる。【００１０】  図２に示す実施例では、ホイッスル本体６はマスコット４などに装着されたベース４５などに一体的又は着脱自在に取付けられており、ホイッスル本体６に装着されたマスコット４などとベース４５などは、使用者の好みに合わせて任意に選択できるようにし、ホイッスル本体６が損傷した時にはホイッスル本体６を交換もできるように構成されている。【００１１】  図３に示す実施例では、マスコット４などにホイッスル本体６を一体的又は着脱自在に設け、ホイッスル本体６を装着したマスコット４などがヒートン５１などやリング５などやフック開閉レバー７１などを有するフック７などを介して電子機器や袋物、鞄、装身具等やその他に取り付け、緊急時には該マスコット４などと共にホイッスル本体６を容易に取り外し、すばやく該ホイッスル本体６を吹いて緊急事態を知らせるように構成されている。【００１２】  また、一例としてマスコット４などやベース４５などにはバッテリーなど（図示せず）が装着されており、マスコット４などの頭部に設けられた発光スイッチ４１乃至発音スイッチ４２を押圧することによって、発光部４３から発光や発音部４４などから警報音を発することができ、この機能をベース４５などに設けてもよい。【００１３】  特に、災害時等において、暗闇の中に閉じ込められた場合等には、閉じ込められた場所の状況把握や、自分の居場所を報知することができる。
【図面の簡単な説明】
【００１４】
【００１５】
【図１】本考案の携帯用ホイッスルの実施例を示す斜視図である。
【図２】本考案の携帯用ホイッスルの他の実施例を示す斜視図である。
【図３】本考案の携帯用ホイッスルの他の実施例を示す斜視図である。
【符号の説明】
【００１６】  １．細紐
２．雌型部材
３．雄型部材
３３．押圧部
３４．係止部
３５．孔部
４．マスコット
４５．ベース
４１．発光スイッチ
４２．発音スイッチ
４３．発光部
４４．発音部
５．リング
５１．ヒートン
６．ホイッスル本体
７．フック
７１．フック開閉レバー
【図１】
0003115737.tif 000003
【図２】
0003115737.tif 000004
【図３】
0003115737.tif 000005